【手続補正書】
【提出日】令和3年10月4日(2021.10.4)
【手続補正１】
【補正対象書類名】特許請求の範囲
【補正対象項目名】全文
【補正方法】変更
【補正の内容】
【特許請求の範囲】
【請求項１】
シリンダ用のマニホルドアタッチメントアセンブリであって、
ナックルであって、上面と、前記シリンダに取り付けられるよう構成される下面と、前記ナックルを通って前記上面から前記下面に延在する複数の第１のガス通路と、前記ナックルを通って前記ナックルの側面から前記下面に延在する少なくとも１つの第２のガス通路とを有するナックルと、
前記ナックルに取り付けられるよう構成されるマニホルドブロックであって、上面と、前記ナックルの前記上面と当接するよう構成される下面と、前記上面内の複数のバルブシートと、前記バルブシートの１つとそれぞれ連通し、前記マニホルドブロックの前記下面に開口して前記ナックル内の前記第１のガス通路の１つと流体連通する複数の第１のガス通路と、前記バルブシートの１つとそれぞれ連通し、前記マニホルドブロックの側面に開口する複数の第２のガス通路とを有するマニホルドブロックと、
それぞれ前記バルブシートの１つにおいて前記マニホルドブロックに固定される複数のバルブであって、前記マニホルドブロックの前記第１のガス通路と前記マニホルドブロックの前記それぞれの第２のガス通路との間の流れを可能にする開位置と、前記マニホルドブロックの前記第１のガス通路と前記マニホルドブロックの前記それぞれの第２のガス通路との間の流れを遮断する閉位置との間で移動可能であるバルブと、を含む、
マニホルドアタッチメントアセンブリ。
【請求項２】
前記マニホルドブロックは、更に、前記マニホルドブロックを通って前記上面から前記下面に延在する少なくとも１つの第３の通路を含み、前記ナックルは、更に、前記ナックルを通って前記上面から前記下面に延在し、前記マニホルドブロックの前記第３の通路と流体連通するよう構成される少なくとも１つの第３のガス通路を含む、請求項１に記載のマニホルドアタッチメントアセンブリ。
【請求項３】
前記マニホルドブロックは、更に、前記マニホルドブロックの前記側面及び前記マニホルドブロックの前記下面に開口する少なくとも１つの第４の通路を含み、前記ナックルは、更に、前記ナックルを通って前記上面から前記下面に延在し、前記マニホルドブロックの前記第４の通路と流体連通するよう構成される少なくとも１つの第４のガス通路を含む、請求項２に記載のマニホルドアタッチメントアセンブリ。
【請求項４】
前記マニホルドブロックの前記複数の第１のガス通路のうちの２つが、前記マニホルドブロック内で互いに合流し、合流式通路として前記下面に開口する、請求項１〜３のいずれか一項に記載のマニホルドアタッチメントアセンブリ。
【請求項５】
前記複数のバルブは超高漏出保全パックレスバルブである、請求項１〜４のいずれか一項に記載のマニホルドアタッチメントアセンブリ。
【請求項６】
各バルブは、前記それぞれの第１のガス通路を囲む前記それぞれのバルブシート内の溝に押圧されるシートと、前記シートを囲み、前記バルブシート内に配設される複数のダイヤフラムと、前記それぞれのバルブシートに固定されるバルブ本体と、前記バルブ本体に固定されるバルブステムと、前記バルブ本体内のシール溝に配設される識別リングと、前記ステムに固定されるノブとを含む、請求項１〜５のいずれか一項に記載のマニホルドアタッチメントアセンブリ。
【請求項７】
各識別リングは、前記それぞれのバルブが前記閉位置にある場合に見えなくなり、前記それぞれのバルブが前記開位置にある場合に見えて、前記バルブが開閉していることの視覚的指示を提供する、請求項６に記載のマニホルドアタッチメントアセンブリ。
【請求項８】
前記バルブのうちの１つの前記ノブは、所定のポートを示すよう、他のバルブの前記ノブとは異なる色である、請求項６又は７に記載のマニホルドアタッチメントアセンブリ。
【請求項９】
前記バルブのそれぞれが、前記バルブの他のコンポーネントとは異なる色である色付きＯリングを含み、前記色付きＯリングは、前記それぞれのバルブが前記閉位置にある場合に見えなくなり、前記それぞれのバルブが前記開位置にある場合に見えて、前記バルブが開閉していることの視覚的指示を提供する、請求項１〜５のいずれか一項に記載のマニホルドアタッチメントアセンブリ。
【請求項１０】
前記マニホルドブロックは、追加として、複数の貫通穴を含み、前記ナックルは、追加として、前記ナックルの前記上面から前記複数の貫通穴のそれぞれの１つと整合する前記下面に向かって延在する複数の止まり穴を含み、前記マニホルドアタッチメントアセンブリは、更に、前記貫通穴及び前記止まり穴内に受けられて前記マニホルドブロックを前記ナックルに固定する複数の締結具を含む、請求項１〜９のいずれか一項に記載のマニホルドアタッチメントアセンブリ。
【請求項１１】
前記マニホルドブロックは、追加として、前記下面から前記上面に向かって延在する複数の止まり穴を含み、前記ナックルは、追加として、前記上面から前記マニホルドブロック内の複数の止まり穴のそれぞれの１つと整合する前記下面に向かって延在する前記複数の止まり穴を含み、ピンは、前記整合される止まり穴のそれぞれに受けられて前記マニホルドブロック及び前記ナックルを整合させる、請求項１〜１０のいずれか一項に記載のマニホルドアタッチメントアセンブリ。
【請求項１２】
前記ナックルは、前記第１のガス通路のそれぞれを囲む前記上面内にシール溝を含み、シールは、各シール溝内に受けられて前記マニホルドブロックの前記それぞれの通路に対して前記ナックルの前記第１のガス通路を封止する、請求項１〜１１のいずれか一項に記載のマニホルドアタッチメントアセンブリ。
【請求項１３】
前記マニホルドブロックは、前記複数のバルブの前記開閉位置を示す前記上面上の印を含む、請求項１〜１２のいずれか一項に記載のマニホルドアタッチメントアセンブリ。
【請求項１４】
極低温シリンダ用のマニホルドアタッチメントアセンブリであって、
前記極低温シリンダに取り付けられるよう構成されるナックルであって、複数の締結具開口と、それを通って延在する複数のガス通路と、前記複数のガス通路のそれぞれを囲む前記ナックルの上面内のシール溝とを含むナックルと、
前記シール溝のそれぞれに配設されるシールと、
前記ナックルに取り付けられるよう構成されるマニホルドであって、上面と、前記ナックルの前記上面と当接するよう構成される下面と、前記ナックル内の複数の締結具開口のうちの対応する１つと整合するよう構成される前記複数の締結具開口と、前記ナックル内の複数のガス通路のうちの対応する１つと整合するためにそれを通って延在し、前記シールのそれぞれの１つによって前記ナックルに対して封止されるよう構成される前記複数のガス通路と、前記マニホルド内の前記複数のガス通路のうちの１つとそれぞれ連通する前記上面内の複数のバルブシートとを有するマニホルドと、
前記複数のバルブシートのうちの１つにおいて前記マニホルドにそれぞれ固定される複数のバルブと、を含む、
マニホルドアタッチメントアセンブリ。
【請求項１５】
各バルブは、前記それぞれのバルブシート内の溝に押圧されるシートと、前記シートを囲み、前記バルブシート内に配設される複数のダイヤフラムと、前記それぞれのバルブシートに固定されるバルブ本体と、前記バルブ本体に固定されるバルブステムと、前記バルブ本体内のシール溝に配設される識別リングと、前記バルブステムに固定されるノブとを含む、請求項１４に記載のマニホルドアタッチメントアセンブリ。
【請求項１６】
各識別リングは、前記それぞれのバルブが閉位置にある場合に見えなくなり、前記それぞれのバルブが開位置にある場合に見えて、前記バルブが開閉していることの視覚的指示を提供する、請求項１５に記載のマニホルドアタッチメントアセンブリ。
【請求項１７】
前記マニホルドを通って延在する前記複数のガス通路は、前記バルブシートの１つと連通し、マニホルドブロックの前記下面に開口する複数の第１のガス通路を含み、前記マニホルドは、更に、それぞれが前記バルブシートの１つと連通し、前記マニホルドブロックの側面に開口する複数の第２のガス通路を含む、請求項１４〜１６のいずれか一項に記載のマニホルドアタッチメントアセンブリ。
【請求項１８】
前記複数のバルブのそれぞれは、前記マニホルドブロックの前記第１のガス通路と前記マニホルドブロックの前記それぞれの第２のガス通路との間の流れを可能にする開位置と、前記マニホルドブロックの前記第１のガス通路と前記マニホルドブロックの前記それぞれの第２のガス通路との間の流れを遮断する閉位置との間で移動可能である、請求項１７に記載のマニホルドアタッチメントアセンブリ。
【請求項１９】
シリンダ用のマニホルドアタッチメントアセンブリであって、
ナックルであって、上面と、前記シリンダに取り付けられるよう構成される下面と、前記ナックルを通って前記上面から前記下面に延在する複数の第１のガス通路と、前記ナックルを通って前記ナックルの側面から前記下面に延在する少なくとも１つの第２のガス通路と、前記ナックルを通って前記上面から前記下面に延在する少なくとも１つの第３のガス通路と、前記ナックルを通って前記上面から前記下面に延在する少なくとも１つの第４のガス通路と、前記上面から前記下面に向かって延在する複数の止まり穴とを有するナックルと、
前記ナックルに取り外し可能に取り付けられるマニホルドブロックであって、上面と、前記ナックルの前記上面と当接する下面と、前記複数の止まり穴のそれぞれの１つとそれぞれ整合する複数の貫通穴と、前記上面内の複数のバルブシートと、前記バルブシートの１つとそれぞれ連通し、前記ナックル内の第１のガス通路のうちの１つとの流体連通のために前記マニホルドブロックの前記下面に開口する複数の前記第１のガス通路と、前記バルブシートの１つとそれぞれ連通し、前記マニホルドブロックの側面に開口する複数の第２のガス通路と、前記ナックル内の少なくとも１つの第３の通路との流体連通のために前記マニホルドブロックを通って前記マニホルドブロックの前記上面から前記下面に延在する前記少なくとも１つの第３の通路と、前記ナックル内の少なくとも１つの第４の通路との流体連通のために前記マニホルドブロックの前記側面及び前記マニホルドブロックの前記下面に開口する前記少なくとも１つの第４の通路とを有するマニホルドブロックと、
各貫通穴及び対応する止まり穴を通って延在し、前記マニホルドブロックを前記ナックルに取り外し可能に取り付けるよう前記ナックルに固定される締結具と、
それぞれ前記バルブシートの１つにおいて前記マニホルドブロックに固定される複数のバルブであって、前記第１のガス通路と前記それぞれの第２のガス通路との間の流れを可能にする開位置と、前記第１のガス通路と前記それぞれの第２のガス通路との間の流れを遮断する閉位置との間で移動可能であるバルブと、を含む、
マニホルドアタッチメントアセンブリ。
【請求項２０】
各バルブは、前記それぞれのバルブシート内の溝に押圧されるシートと、前記シートを囲み、前記バルブシート内に配設される複数のダイヤフラムと、前記それぞれのバルブシートに固定されるバルブ本体と、前記バルブ本体に固定されるバルブステムと、前記バルブ本体内のシール溝に配設される識別リングと、前記バルブステムに固定されるノブとを含み、各識別リングは、前記それぞれのバルブが閉位置にある場合に見えなくなり、前記それぞれのバルブが開位置にある場合に見えて、前記バルブが開閉していることの視覚的指示を提供する、請求項１９に記載のマニホルドアタッチメントアセンブリ。
【手続補正２】
【補正対象書類名】明細書
【補正対象項目名】００１８
【補正方法】変更
【補正の内容】
【００１８】
ここで図１３〜１６及びナックル１２を詳細に参照すると、ナックル１２は、上面２０に、径方向溝面シールを提供するよう、低温ニトリル又はシリコンＯリング等の適切なＯリング等のそれぞれのシール１６４（図８）を受けるための複数のシール溝１５０、１５２、１５４、１５６、１５８、１６０、及び１６２を含んでいる。各シール１６４は、ナックル１２を通って上面２０から底面２２まで延在し、マニホルドブロック１４内の通路７０、７２、９０、１００、１０２、１０４、及び１０６のうちの１つと整合し、流体連通するそれぞれのナックル通路１７０、１７２、１７４、１７６、１７８、１８０、及び１８２を囲んでいる。シール１６４は、マニホルドブロック１４及びナックル１２の通路間に流体密封シールを提供する。ナックル１４は、また、下面２２及びナックル１２の側面に開口する通路１８４も含んでいる。図示の実施形態において、通路１７０は通路７２と整合し、通路１７２は通路１０２と整合し、通路１７４は通路１００と整合し、通路１７６は通路９０と整合し、通路１７８は通路７０と整合し、通路１８０は通路１０６と整合し、通路１８２は通路１０４と整合する。
【手続補正３】
【補正対象書類名】明細書
【補正対象項目名】００１９
【補正方法】変更
【補正の内容】
【００１９】
アタッチメントアセンブリ１０をシリンダに取り付けるため、ナックル１２は、溶接等によってシリンダに取り付けられる。バルブ６０、６２、６４、及び６６が既に設置されているマニホルドブロック１４は、次いで、締結具３４を用いてナックルに取り付けられ、次いで、レギュレータ、バルブ、チューブ、継手等のような様々なコンポーネントがマニホルドブロック１４内の様々な通路に取り付けられ、そこから容易に取り外し可能である。アセンブリ１０は、多量を必要とするプロセスにガスを送出し、ガス圧力及び流れは、マニホルドブロック１４に付属品として組み立てられるバルブ６０、６２、６４、及び６６とレギュレータとの組み合わせによって制御される。アタッチメントアセンブリ１０は、取り外し可能なマニホルドブロック１４に配管される下流コンポーネントを有するモジュール設計を提供することによって、改修及び再認定時間を短縮し、組み立て労力及びコストを削減し、整備を簡易化するモジュール式アセンブリを提供している。例えば、各回路は、下流コンポーネントの交換のために切り離すことができる。アタッチメントアセンブリ１０は、また、シリンダとアセンブリ１０との間の漏出経路の数を低減する。